(57)【要約】【課題】配管及び配線の少なくとも一方を引き出すための構造の施工性を高めることができるプレキャストブロックを提供する。【解決手段】本発明のプレキャストブロック１は、鉄筋コンクリート製又は鉄骨鉄筋コンクリート製の柱３と軽量気泡コンクリート製の壁パネル４との間の空間から配管２ａ及び配線２ｂの少なくとも一方が引き出される建物の構造において、軽量気泡コンクリートで形成されると共に、空間内に配置され、配管２ａ及び配線２ｂの少なくとも一方を挿通させるために室内と室外とを連通する挿通穴２４が設けられている。このプレキャストブロック１によれば、非耐力壁を施工するための鉄筋工事、型枠工事及びコンクリート打設工事が不要となり、建物の構造の施工性を高めることができる。【選択図】図１
2014114664.tif 000002
【特許請求の範囲】
【請求項１】
鉄筋コンクリート製又は鉄骨鉄筋コンクリート製の柱と軽量気泡コンクリート製の壁パネルとの間に形成された空間から配管及び配線の少なくとも一方が引き出される建物の構造において、
軽量気泡コンクリートで形成されると共に、前記空間内に配置され、前記配管及び前記配線の少なくとも一方を挿通させるために室内と室外とを連通する挿通穴が設けられていることを特徴とするプレキャストブロック。
【請求項２】
前記軽量気泡コンクリートからなる内側部及び外側部に挟まれるように埋設された網状の補強部材を有し、
前記挿通穴は前記補強部材を貫通していることを特徴とする請求項１に記載のプレキャストブロック。
【請求項３】
前記柱に取付けるための棒体を挿通させるために前記室内と前記室外とを連通する取付け孔が更に設けられていることを特徴とする請求項１又は２に記載のプレキャストブロック。
【発明の詳細な説明】
【技術分野】
【０００１】
本発明は、鉄筋コンクリート製又は鉄骨鉄筋コンクリート製の柱と軽量気泡コンクリート製の壁パネルとを有する建物の構造に用いられるプレキャストブロックに関するものである。
【背景技術】
【０００２】
集合住宅のような建物では、柱と壁パネルとの間から給水管及びガス管等の配管や電気配線が引き出されることがある。このため、柱と壁パネルとの間には、配管や配線を挿通させるための挿通穴を有する非耐力壁が設けられている。非耐力壁が十分に小さい場合には、非耐力壁は柱と一体化されている。柱と一体化された非耐力壁を施工するにあたって、非耐力壁を形成するための型枠を柱に設置し、型枠の内部に挿通穴を形成するための筒状の形材を設置する。型枠にコンクリートを打設して非耐力壁を形成する。
【０００３】
一方、建物の耐震性能を向上させるために、非耐力壁と柱とを一体化させることなく、非耐力壁と柱との間に発泡体を主材料とする耐震スリットを設置する場合がある。耐震スリットが配置されることにより、非耐力壁と柱との間が構造的に分離された構造は、完全スリット型構造と呼ばれている（例えば、非特許文献１を参照）。
【先行技術文献】
【非特許文献】
【０００４】
【非特許文献１】「２００７年版建築物の構造関係技術標準解説書」、全国官報販売協同組合、平成１９年８月、付録１−３．２、５１頁。
【発明の概要】
【発明が解決しようとする課題】
【０００５】
型枠を利用したコンクリートの打設により非耐力壁を形成すると、非耐力壁の形状が小さいために鉄筋工事、型枠工事及びコンクリート打設工事に施工手間を要し、柱や梁の施工に比べると施工性が悪くなるという問題があった。また、非耐力壁へ貫通孔を形成するために、型枠工事において筒状の形材を型枠へ配置する施工手間を要するため、さらに施工性が悪くなる問題があった。
【０００６】
そこで、本発明は、配管及び配線の少なくとも一方を引き出すための構造の施工性を高めることができるプレキャストブロックを提供することを目的とする。
【課題を解決するための手段】
【０００７】
本発明に係るプレキャストブロックは、鉄筋コンクリート製又は鉄骨鉄筋コンクリート製の柱と軽量気泡コンクリート製の壁パネルとの間に形成された空間から配管及び配線の少なくとも一方が引き出される建物の構造において、軽量気泡コンクリートで形成されると共に、空間内に配置され、配管及び配線の少なくとも一方を挿通させるために室内と室外とを連通する挿通穴が設けられている。
【０００８】
上述したプレキャストブロックは、柱と壁パネルとの間に容易に配置することができるので、非耐力壁を施工するための鉄筋工事、型枠工事及びコンクリート打設工事が不要となり、配管及び配線の少なくとも一方を引き出すための構造の施工性を高めることができる。また、プレキャストブロックには貫通孔が設けられているので、型枠に筒状の形材を配置する作業が不要となり、施工性をさらに高めることができる。従って、配管及び配線の少なくとも一方を引き出すための構造の施工に要する現場労務費を省力化することができる。また、上述したプレキャストブロックは、耐震性を確保するために完全スリット型構造を適用する場合であっても、柱との間に間隙（スリット）が形成されるように配置させることが容易である。従って、配管及び配線の少なくとも一方を引き出すための構造を簡単化することができる。
【０００９】
また、プレキャストブロックは、軽量気泡コンクリートからなる内側部及び外側部に挟まれるように埋設された網状の補強部材を有し、挿通穴は補強部材を貫通している。このような構成によれば、挿通穴の周囲を補強することができ、軽量気泡コンクリートのひび割れを抑制して、軽量気泡コンクリートの抜き加工で容易に挿通穴を形成することができる。
【００１０】
また、プレキャストブロックは、柱に取付けるための棒体を挿通させるために室内と室外とを連通する取付け孔が更に設けられている。このように、プレキャストブロックは、取付け孔に挿通された棒体を用いて柱に取り付けられる。従って、棒体を利用した柱へのプレキャストブロックの取付け及び取外し構造を可能にする。
【発明の効果】
【００１１】
本発明によれば、配管及び配線の少なくとも一方を引き出すための構造の施工性を高めることができるプレキャストブロックが提供される。
【図面の簡単な説明】
【００１２】
【図１】本発明に係るプレキャストブロックを適用する構造の第１の実施形態を示す斜視図である。
【図２】図１に示された構造の正面図である。
【図３】図１に示された構造の断面図である。
【図４】（ａ）は本発明に係るプレキャストブロックを示す斜視図であり、（ｂ）は本発明に係るプレキャストブロックの一部を切り欠いた斜視図である。
【図５】本発明に係るプレキャストブロックを柱に取り付ける前の状態を示す斜視図である。
【図６】本発明に係るプレキャストブロックを柱に取り付けた後の状態を示す斜視図である。
【図７】本発明に係るプレキャストブロックの隣に壁パネルを取り付けた状態を示す斜視図である。
【図８】本発明に係るプレキャストブロックを適用する構造の第２の実施形態を示す断面図である。
【図９】本発明に係るプレキャストブロックを適用する構造の第３の実施形態を示す断面図である。
【図１０】本発明に係るプレキャストブロックを適用する構造の第４の実施形態を示す断面図である。
【図１１】本発明に係るプレキャストブロックを適用する構造の第５の実施形態を示す断面図である。
【発明を実施するための形態】
【００１３】
以下、図面を参照しつつ本発明に係るプレキャストブロックの好適な実施形態について詳細に説明する。図面の説明において同一の要素には同一の符号を付し、重複する説明を省略する。
【００１４】
集合住宅のような建物には、住戸ごとに水やガスを供給するための配管や電気を供給するための配線が設置されている。配管は浴室、洗面台、台所等の水回りへ、配線は各部屋のコンセントまで引き回されている。これら配管及び配線は、人の目に触れない床下、天井、或いは構造壁と内装壁との間を通って、室外に引き出されて、室外に設置されたメーターボックス等に接続されている。
【００１５】
［第１の実施形態］
図１〜図３は、これら配線及び配管を室内側から室外側へ引き出す箇所の非耐力壁構造１００を示している。図１に示されるように、配管２ａ及び配線２ｂは、壁裏や床下を通って鉄筋コンクリート製又は鉄骨鉄筋コンクリート製の柱３の近傍まで配い回わされて、壁パネル４の小口面４ａと該小口面４ａに対向する柱３の側面３ａとの間を通って室内側から室外側へ引き出されている。この非耐力壁構造１００は、柱３と壁パネル４の間に配置されたプレキャストブロック１と、プレキャストブロック１を柱３に取り付けるためのブロック取付構造１０（図３参照）とを有している。
【００１６】
軽量気泡コンクリート製の壁パネル４の小口面４ａは、柱３の側面３ａから約１００ｍｍ〜２００ｍｍ離間させられ、壁パネル４の上面４ｂ及び下面４ｃは、定規アングル（不図示）に金物等によって固定されている。
【００１７】
本実施形態に係るプレキャストブロック１は、施工性及び隣接する壁パネル４との特性の連続性等の関点から軽量気泡コンクリートで形成され、一方向に延びた略直方体形状を有している。柱３と壁パネル４との間に形成された空間には、プレキャストブロック１の長手方向を上下方向として２つのプレキャストブロック１が上下に積み重ねられて、空間を埋めるように配置されている。なお、柱３と壁パネル４との間に配置されるプレキャストブロック１の数は２つに限定されない。
【００１８】
図２に示されるように、プレキャストブロック１は、柱３と壁パネル４との間に形成された空間に配置することができる大きさを有している。プレキャストブロック１の幅Ｈ２は、柱３と壁パネル４との間の間隔Ｈ１よりも短くなっている。また、プレキャストブロック１の厚さＴ１は、壁パネル４と略同程度の厚さになっている（図３参照）。
【００１９】
プレキャストブロック１の長手方向の長さＬ１は、壁パネル４の高さ方向の長さＬ２よりも短く、２個のプレキャストブロック１を上下方向に積んだときに、壁パネル４の高さＬ２と略同じである。すなわち、プレキャストブロック１の長さＬ１は、壁パネル４の高さＬ２の約半分の長さである。このように、高さＬ２に対してプレキャストブロック１の長手方向の長さＬ１が短くなっているので、施工中のハンドリング荷重や風荷重等により発生する内部応力をプレキャストブロック１の許容応力よりも小さくして、プレキャストブロック１の損傷を抑制することができる。
【００２０】
プレキャストブロック１を柱３と壁パネル４との間に配置したとき、建物の耐震性能を向上させるために、プレキャストブロック１が柱３又は壁パネル４から構造的に分離されるスリット６ａ〜６ｄが形成される。柱３に対向するプレキャストブロック１の側面１ａと柱３の側面３ａとの間にはスリット６ａが形成され、壁パネル４の小口面４ａに対向するプレキャストブロック１の側面１ｂと壁パネル４の小口面４ａとの間にスリット６ｂが形成されている。また、床側のプレキャストブロック１と天井側のプレキャストブロック１との間にはスリット６ｃが形成され、床側のプレキャストブロック１と基部５との間には、スリット６ｄが形成されている。これらスリット６ａ〜６ｄには、防水性を確保するためのシーリング材７や、耐火性を確保するための耐火目地材８が配置されている（図３参照）。
【００２１】
図３に示されるように、プレキャストブロック１は、柱３に埋め込まれた取付金具９と、取付金具９に固定された取付金具１１と、取付金具１１にプレキャストブロック１を固定するための締結具１５と、を含むブロック取付構造１０により柱３に取り付けられている。
【００２２】
プレキャストブロック１の両端部には、柱３にプレキャストブロック１を取付けるための棒体を挿通させる取付け孔１２が設けられている（図４（ａ）参照）。ここで、棒体はボルト１３である。さらに、プレキャストブロック１の室外側の面１ｃには、取付け孔１２と同心の凹部形状を有する座部１４が設けられている。
【００２３】
なお、この取付け孔１２及び座部１４は、座部１４が加工された後に座部１４の底面から取付け孔１２が抜き加工されて形成される。これらの加工は、プレキャストブロック１が建物の建設現場に搬入される前に工場で実施されてもよいし、建設現場において実施されてもよい。
【００２４】
柱３に埋め込まれた取付金具９は、断面Ｌ字状のアングルを含み、柱３の側面３ａにおける室内側の角部３ｂに配置され、柱３の側面３ａに沿う一片９ａ及び他片９ｂの表面が柱３から露出している。また、取付金具９は、一片９ａの裏面に固定された脚片９ｃを有し、この脚片９ｃは、柱３内に埋設されている。
【００２５】
取付金具９に固定された取付金具１１は、断面Ｌ字状のアングルであり、取付金具９の一片９ａに固定された第１の片１１ａと、第１の片１１ａから垂直に延在する第２の片１１ｂとを有している。片１１ｂの室外側の面には、プレキャストブロック１の表面１ｄが当接している。また、片１１ｂには、プレキャストブロック１を取付金具１１に取り付けるためのボルト１３が挿通されるボルト穴１６が形成されている。
【００２６】
ここで柱３の側面３ａからボルト穴１６の中心までの長さＬ３は、プレキャストブロック１の側面１ａから取付け孔１２の中心までの長さＬ４よりも長くされている。このように設定することにより、ボルト穴１６の中心と、取付け孔１２の中心とを一致させ、ボルト１３を貫通させるだけで、柱３の側面３ａとプレキャストブロック１の側面３ａとの間にスリット６ａが形成される。
【００２７】
また、プレキャストブロック１は、ボルト１３とナット１７とを含む締結具１５により取付金具９，１１を介して柱３に取り付けられているので、容易に取り付けることができる。更に、ボルト１３からナット１７を取り外すことにより、柱３からプレキャストブロック１を容易に取り外すことができる。このような構成によれば、建物のメンテナンス性を向上させることができる。さらに、室内設備の変更に伴う配管２ａ及び配線２ｂの変更に対応して、配管２ａ及び配線２ｂを引き出すための挿通穴２４（図４（ａ）参照）の数や形状を変更した別のプレキャストブロックと容易に交換することもできる。
【００２８】
図４（ａ）及び図４（ｂ）に示されるように、プレキャストブロック１は、室外側の表面１ｃ近傍に埋設された第１の補強部材１８と、室内側の表面１ｄ近傍に埋設された第２の補強部材１９と、を有している。
【００２９】
ここで、プレキャストブロック１には、室外側の外側部２１と室内側の内側部２２とが設定され、外側部２１と内側部２２との間には中間部２３が設定されている。補強部材１８，１９は、軽量気泡コンクリートからなる中間部２３を挟むように配置され、軽量気泡コンクリートからなる外側部２１及び内側部２２に挟まれるように埋設されている。平面視した補強部材１８，１９の形状はプレキャストブロック１を平面視した形状と略同一とされている。
【００３０】
補強部材１８，１９は、線材または薄板鋼材等からなる平面状の網状部材であり、例えばラス網を用いることができる。補強部材１８，１９の材質や網状部材を構成する線材または薄板鋼材等の寸法は、後述する挿通穴２４及び取付け孔１２を形成するための軽量気泡コンクリートの抜き加工の作業性や、挿通穴２４及び取付け孔１２の周囲の補強効果を考慮して決定される。また、補強部材１８，１９の網目の寸法は、軽量気泡コンクリートへの補強部材１８，１９の付着性、挿通穴２４及び取付け孔１２の位置を考慮して決定される。
【００３１】
プレキャストブロック１には、配管２ａ及び配線２ｂの少なくとも一方を挿通させるために室内と室外とを連通する挿通穴２４が複数設けられている。複数の挿通穴２４は、プレキャストブロック１の長手方向に沿って設けられている。本実施形態のプレキャストブロック１には、１２５ｍｍ間隔で５つの挿通穴２４が設けられている。なお、挿通穴２４の数は５つに限定されることはない。また、挿通穴２４同士の間隔は、１２５ｍｍに限定されることはない。これら断面円形状の挿通穴２４は、３０ｍｍ〜８０ｍｍの内径を有している。配管２ａ及び配線２ｂを挿通させる挿通穴２４は補強部材１８，１９の網目よりも大きい内径を有しているので、補強部材１８，１９にはそれぞれの挿通穴２４に対応する位置に貫通穴が形成される（図４（ｂ）参照）。
【００３２】
上述したように、プレキャストブロック１には、第１及び第２の補強部材１８，１９が埋設され、挿通穴２４は補強部材１８，１９を貫通するように形成されている。従って、挿通穴２４の周囲は補強部材１８，１９により補強されてひび割れが抑制されるため、挿通穴２４を側面３ａ側に近接して形成することが可能となる。このため、図２に示されるように、複数の挿通穴２４の中心位置２４ｃは、プレキャストブロック１の幅Ｈ２の中心線Ｃ１よりも柱３側に寄せて設定されている。なお、挿通穴２４の中心位置２４ｃが設定される位置は、プレキャストブロック１の幅Ｈ２の中心線Ｃ１よりも柱３側に寄せた位置に限定されない。
【００３３】
より詳細には、挿通穴２４の内面とプレキャストブロック１の側面３ａとの間の肉厚が所定の厚さ以上確保されるように挿通穴２４の位置が設定されることが好ましい。従って、挿通穴２４の穴径が大きくなるほど、挿通穴２４の中心位置２４ｃは幅の中心線Ｃ１側に設定される。一方、挿通穴２４の穴径が小さくなるほど、挿通穴２４の中心位置２４ｃはプレキャストブロック１の側面３ａ側に設定される。このように挿通穴２４の位置を設定することにより、配管２ａ及び配線２ｂを柱３側寄りに配置して、室内側において配管２ａ及び配線２ｂを隠すためのスペースを縮小することができる。
【００３４】
ところで、型枠に複数の筒状の形材等を予め配置してコンクリートを打設するときには、筒状の形材の間などに均一にコンクリートを打設することが困難であり、施工不良が発生する虞がある。本実施形態の挿通穴２４は、プレキャストブロック１が建物の建設現場に搬入される前に工場で実施される抜き加工により形成されるため、コンクリートの打設における施工不良の発生を抑制することができる。
【００３５】
また、建設現場において抜き加工を行う場合には、加工誤差が大きくなるために寸法余裕を考慮して大きめの穴径に設定されるが、工場において抜き加工を行う場合には精度のよい加工を行うことができるので、穴径が小さく設定でき、プレキャストブロック１の強度の低下を抑制することができる。このように、プレキャストブロック１のプレキャストとは、工場において予め所定の外形寸法に切断加工すると共に挿通穴２４のための抜き加工をすることを意味している。
【００３６】
次に、プレキャストブロック１を用いて、配管２ａ及び配線２ｂを引き出すための非耐力壁構造１００を施工する手順を説明する。まず、柱３のための型枠を形成する。型枠の内部に取付金具９（図５参照）を予め配置した後に、コンクリートを打設する。続いて、取付金具９に取付金具１１を溶接により固定する。
【００３７】
続いて、図５に示すように、取付金具１１のボルト穴１６の中心と、プレキャストブロック１の取付け孔１２の中心とが略一致するようにプレキャストブロック１を柱３に隣接させて配置する。このように取付金具１１のボルト穴１６の中心と、プレキャストブロック１の取付け孔１２の中心とを一致させ、後述のボルト１３を通すことにより、柱３の側面３ａと、プレキャストブロック１の側面３ａとの間にスリット６ａ（図２参照）が自動的に形成される。従って、完全スリット構造とするためのスリット６ａを容易に形成することができる。
【００３８】
次に、室外側からボルト１３を座金２６、プレキャストブロック１の取付け孔１２及び取付金具１１のボルト穴１６の順に挿通して、ボルト１３のネジ部を室内側に突出させた後に、ボルト１３にナット１７を螺着して固定する。
【００３９】
上述したボルト止め作業を、プレキャストブロック１の上下端部に設けられた取付け孔１２毎に実施する。次に、天井側のプレキャストブロック１を柱３に隣接させて配置する。この場合も、床側のプレキャストブロック１の固定作業と同様の手順により実施する。以上の作業により、図６に示すようにプレキャストブロック１が取付金具９，１１を介して柱３に取り付けられる。
【００４０】
次に、図７に示されるように、壁パネル４をプレキャストブロック１に隣接させて配置する。それから、壁パネル４の上面４ｂと下面４ｃとに設けられた連結金具（不図示）を、床側の基部５及び天井側の梁（不図示）に設けられた定規アングル（不図示）に固定することにより、壁パネル４を配置する。そして、柱３とプレキャストブロック１との間のスリット６ａと、プレキャストブロック１と壁パネルとの間のスリット６ｂとにシーリング材７と耐火目地材８とを配置する（図３参照）。
【００４１】
続いて、挿通穴２４に、配線２ｂ及び配管２ａを挿通させる。配管２ａと挿通穴２４の内壁面との間や、配線２ｂと挿通穴２４の内壁面との間も、必要に応じてシーリング材や耐火目地材といった防火区画貫通処理材を配置する。また、ボルト１３及び座金２６の防錆及び防水性の確保のため、凹部である座部１４に補修材を充填して埋め込む（図１参照）。以上の工程により、図１に示されるように、柱３と壁パネル４との間において、配管２ａ及び配線２ｂを引き出すための非耐力壁構造１００が施工される。
【００４２】
上述したプレキャストブロック１によれば、建物の非耐力壁構造１００において柱３と一体化された非耐力壁を設ける必要がない。従って、非耐力壁を施工するための鉄筋工事、型枠工事及びコンクリート打設工事が不要となり、非耐力壁構造１００の施工性を高めることができる。また、プレキャストブロック１には挿通穴２４が設けられているので、コンクリート打設のための型枠に筒状の形材を配置する作業が不要となり、非耐力壁構造１００の施工性をさらに高めることができる。
【００４３】
また、上述したプレキャストブロック１は、プレキャストブロック１と柱３との間にスリット６ａが形成されるように配置させることが容易であるので、従来のように、柱３とプレキャストブロック１との間を完全スリット型の構造にするために、耐震スリット等を配置する必要がない。従って、配管２ａ及び配線２ｂの少なくとも一方を引き出すための非耐力壁構造１００を簡単化することができる。
【００４４】
また、プレキャストブロック１は、軽量気泡コンクリートからなる外側部２１及び内側部２２に挟まれるように埋設された網状の補強部材１８，１９を有している。そして、複数の挿通穴２４は補強部材１８，１９を貫通している。このような構成によれば、挿通穴２４の周囲を補強することができ、軽量気泡コンクリートのひび割れを抑制して、軽量気泡コンクリートの抜き加工で容易に挿通穴２４を形成することができる。
【００４５】
また、プレキャストブロック１には、柱３にプレキャストブロック１を取付けるためのボルト１３を挿通させるために室内と室外とを連通する取付け孔１２が更に設けられている。このように、プレキャストブロック１は、取付け孔１２に挿通されたボルト１３を用いて柱３に取り付けられる。従って、ボルト１３を利用した柱３へのプレキャストブロック１の取付け及び取外し構造を可能にする。
【００４６】
［第２の実施形態］
図８に示されるように、第２の実施形態は、非耐力壁構造１０１が、Ｌ字状の棒体２７を用いたブロック取付構造１０Ｂを有している点で第１の実施形態と相違する。棒体２７は、一端側に形成された雄ネジ部２７ａと、雄ネジ部２７ａに対して直交するように折り曲げられた折曲げ部２７ｂと、を有している。この棒体２７によれば、雄ネジ部２７ａを室内側から取付金具１１のボルト穴１６及びプレキャストブロック１の取付け孔１２及び座金２６に挿通させて、雄ネジ部２７ａの一部を室外側へ突出させる。そして、雄ネジ部２７ａにナット１７を螺着すると、折曲げ部２７ｂが取付金具１１の一片１１ｂに当接するため、棒体２７の移動を規制する。従って、棒体２７の折曲げ部２７ｂとナット１７によりプレキャストブロック１と取付金具１１とが挟持されるので、プレキャストブロック１を柱３に取り付けることができる。
【００４７】
［第３の実施形態］
図９に示されるように、第３の実施形態は、非耐力壁構造１０２が、柱３の側面３ａ上において、室内側の角部３ｂと室外側の角部３ｃとの間に取り付けられている点で第１の実施形態と相違する。ブロック取付構造１０Ｃは、柱３に埋め込まれた取付金具２８を含んでいる。取付金具２８は、平板状の板材を含み、柱３の側面３ａにおける室内側の角部３ｂと室外側の角部３ｃとの間に配置され、表面２８ａが柱３から露出している。表面２８ａには取付金具１１が溶接により固定されている。また、取付金具２８は、裏面２８ｂに固定された脚片２８ｃを有している。脚片２８ｃは、柱３に埋設され、側面３ａから室外側の側面３ｄに向かって、側面３ａに対して斜め方向に延びている。
【００４８】
［第４の実施形態］
図１０に示されるように、第４の実施形態は、非耐力壁構造１０３が、柱３の側面３ａ上において、室外側の角部３ｃに取り付けられている点で第１の実施形態と相違する。ブロック取付構造１０Ｄは、柱３に埋め込まれた取付金具２９を含んでいる。取付金具２９は、平板状の板材を含み、柱３の室外側の角部３ｃの近傍に配置され、表面２９ａが柱３から露出している。表面２９ａには取付金具１１が溶接により固定されている。また、取付金具２９は、裏面２９ｂに固定された脚片２９ｃを有し、この脚片２９ｃは、柱３に埋設され、側面３ａから室内側の側面３ｅに向かって、側面３ａに対して斜め方向に延びている。
【００４９】
［第５の実施形態］
図１１に示されるように、第５の実施形態は、非耐力壁構造１０４が、あと施工アンカー３１と、あと施工アンカー３１により柱３に取り付けられる取付金具３２とを含むブロック取付構造１０Ｅを有している点で第１の実施形態と相違する。あと施工アンカー３１は、柱３の室内側の角部３ｂの近傍に配置され、柱３に埋め込まれた埋設部と柱３の側面３ａから突出したネジ部を有している。ネジ部には、取付金具３２を挟んでナット３３が螺着されている。取付金具３２は、断面Ｌ字状のアングルであり、柱３の側面３ａに当接する第１の片３２ａと、第１の片３２ａから垂直に延在する第２の片３２ｂとを有している。第１の片３２ａには、取付金具３２を柱３に取り付けるためのあと施工アンカー３１が挿通されるボルト穴３４が形成されている。
【００５０】
本発明は、前述した実施形態に限定されるものではない。Ｌ字状の棒体２７を利用した第２の実施形態の非耐力壁構造１０１は、柱３の室内側の角部３ｂと室外側の角部３ｃとの間に取り付けられてもよい。また、非耐力壁構造１０１は、柱３の室外側の角部３ｃに取り付けられてもよい。
【００５１】
また、あと施工アンカー３１を利用した第５の実施形態の非耐力壁構造１０４は、柱３の室内側の角部３ｂと室外側の角部３ｃとの間に取り付けられてもよい。また、非耐力壁構造１０１は、柱３の室外側の角部３ｃに取り付けられてもよい。
【符号の説明】
【００５２】
１…プレキャストブロック、２ａ…配管、２ｂ…配線、３…柱、４…壁パネル、６ａ〜６ｄ…スリット、１２…取付け孔、１３…ボルト（棒体）、１８，１９…補強部材、２１…内側部、２２…外側部、２４…挿通穴、２７…棒体、１００〜１０４…非耐力壁構造。
【図１】
2014114664.tif 000003
【図２】
2014114664.tif 000004
【図３】
2014114664.tif 000005
【図４】
2014114664.tif 000006
【図５】
2014114664.tif 000007
【図６】
2014114664.tif 000008
【図７】
2014114664.tif 000009
【図８】
2014114664.tif 000010
【図９】
2014114664.tif 000011
【図１０】
2014114664.tif 000012
【図１１】
2014114664.tif 000013